(57)【要約】【課題】  構造がシンプルで、組み付け及び解体作業が容易で、工事のコストダウンを図れる屋根面、法面等の傾斜面工事の際の使用に適する傾斜面工事用墜落防護装置を提供する。【手段】  相対向する一対の側部枠１，１と、各側部枠１，１の底部間に着脱自在に結合した底パネル２と、同じく各側部枠１，１の背部間に着脱自在に結合した弾性な荷重受けパネル３と、各側部枠１，１の先端に結合した牽引部材４又は止め具とからなり、屋根や法面等の傾斜面に上記牽引部材又は止め具を介して任意の位置に固定し、傾斜面の上方から墜落する作業者又は落下する部材を受け止めることを特徴とする。【選択図】  図４
2008019604.tif 000002
【特許請求の範囲】
【請求項１】
相対向する一対の側部枠１，１と、各側部枠１，１の底部間に着脱自在に結合した底パネル２と、同じく各側部枠１，１の背部間に着脱自在に結合した弾性な荷重受けパネル３と、各側部枠１，１の先端に結合した牽引部材４又は止め具とからなり、屋根や法面等の傾斜面に上記牽引部材又は止め具を介して任意の位置に固定し、傾斜面の上方から墜落する作業者又は落下する部材を受け止める傾斜面工事用墜落防護装置。
【請求項２】
側部枠１が底部パイプ枠６と、底部パイピ枠６から起立する背部パイプ枠７と、底部パイプ枠６の端部と背部パイプ枠７の端部間に架設した上部パイプ枠５とで側面三角形状に形成し、更に底部パイプ枠６の後端と背部パイプ枠７の背部との間に結合した側面Ｖ字状の補強枠８とで構成されている請求項１の傾斜面工事用墜落防護装置。
【請求項３】
底パネル２及び荷重受けパネル３はそれぞれ矩形のパイプ枠９と、パイプ枠９内に展設した金網１０、弾性シート、スプリング又はその他の弾性部材と、パイプ枠９の外周に張出した支持片１１とで構成され、それぞれ上記支持片１１を底部パイプ枠６と背部パイプ枠７に設けたグラビティロックピン１２に着脱自在に結合している請求項１又は２の傾斜面工事用墜落防護装置。
【請求項４】
底部パイプ枠６の先端側に牽引部材としてのロープ又はワイヤを結合する引っ掛けリング１４を設け、背部パイプ枠７の上部に足場枠に連結するクランプ１３を回転自在に結合している請求項１、２又は３の傾斜面工事用墜落防護装置。
【発明の詳細な説明】
【技術分野】
【０００１】
本発明は、建築物の屋根面の新築、改築、補修工事又は丘陵の法面等の土木工事において、傾斜面の上方から作業者が墜落したり、建築・土木資材、工具が落下するのを防止する傾斜面工事用墜落防護装置に関する。
【背景技術】
【０００２】
一般に、建築物の屋根面の新築工事、或いは、屋根面の改築,補修工事では、建築物の周囲に地上より枠組み足場や、屋根工事用の足場を組付け、この足場を利用して作業者が昇降し、資材、工具を搬送している。
【０００３】
しかしながら、このような足場を建築物の周囲に組み付けたり、撤去したりするのは大変な労力が必要で、工事コストが嵩むことになる。
【０００４】
又、このような足場には屋根面側から資材や瓦、スレート等が落下するのを防止する構造を備えておらず、地上にいる人にとって非常に危険である。
【０００５】
そこで、例えば、特許文献１に示すような屋根工事用仮設棚が開発されている。
【０００６】
この屋根工事用仮設棚は、屋根面上荷に固定した固定ベースと、固定ベースに係止部を介して係止されながら屋根面に沿うベース体と、ベース体の下部に起立させた柵部と、柵部の下方に連設した受け部と、柵部と受け部に設けた網状のシートとからなるものである。
【特許文献１】特開２００２−２１３０５５号公報（図面、要約）
【発明の開示】
【発明が解決しようとする課題】
【０００７】
上記特許文献１に示す屋根工事用仮設柵は工事中傾斜面の上方から瓦、スレートが落下したり、作業者が滑り落ちたりするとき、柵部と受け部とのシートでこれらの部材を受け、作業者の地上への墜落を一応防止できる。
【０００８】
しかし、上記のシートは、緊張している為に、仮にこのシートが瓦との資材を受けとったり、作業者の滑り止めを図れても、シートに当たった時跳ね返ったり、体を痛める恐れがある。
【０００９】
更に、この屋根工事用仮設柵の枠組みが大掛かりで、構造が複雑で、組み付けや、撤去の作業が困難でコストアップの原因にもなっている。
【００１０】
そこで、本発明の目的は、確実に緩衝効果を発揮しながら落下する部材や滑り落ちる作業者を収容でき、構造がシンプルで、組み付け及び解体作業が容易で、工事のコストダウンを図れる屋根面、法面等の傾斜面工事の際の使用に適する傾斜面工事用墜落防護装置を提供する事である。
【課題を解決するための手段】
【００１１】
上記の目的を達成するため、本発明の手段は、相対向する一対の側部枠と、各側部枠の底部間に着脱自在に結合した底パネルと、同じく各側部枠の背部間に着脱自在に結合した荷重受けパネルと、各側部枠の先端に結合した牽引部材又は止め具とからなり、屋根や法面等の傾斜面に上記牽引部材又は止め具を介して任意の位置に固定し、傾斜面の上方から墜落する作業者又は落下する部材を受け止めることを特徴とする。
【００１２】
この場合、側部枠が底部パイプ枠と、底部パイプ枠から起立する背部パイプ枠と、底部パイプ枠の端部と背部パイプ枠の端部間に架設した上部パイプ枠とで側面三角形状に形成し、更に底部パイプ枠の後端と背部パイプ枠の背部との間に結合した側面Ｖ字状の補強枠とで構成されているのが好ましい。
【００１３】
同じく、底パネル及び荷重受けパネルはそれぞれ矩形のパイプ枠と、パイプ枠内に展設した金網、弾性シート、スプリング又はその他の弾性部材と、パイプ枠の外周に張出した支持片とで構成され、それぞれ上記支持片を底部パイプ枠と背部パイプ枠に設けたグラビティロックピンに着脱自在に結合しても良い。
【００１４】
同じく、底部パイプ枠の先端側に牽引部材としてのロープ又はワイヤを結合する引っ掛けリングを設け、背部パイプ枠の上部に足場枠に連結するクランプを回転自在に結合しても良い。
【発明の効果】
【００１５】
各請求項の発明によれば、背部に滑り落ちてくる部材や作業者を受ける弾性な荷重受けパネルを備えているから、これらの部材や作業者を跳ね返らせること無く十分な緩衝効果を発揮して収容し、安全である。
【００１６】
更に、両サイドに側部枠が設けられているから、横方向に部材や作業者が
飛び出すのを防止できる。
【００１７】
底部に底パネルが設けられているから、例えば、屋根の最下端より下方に配置させた場合であっても、この底パネルで屋根の下方の隙間を塞ぎ、部材や作業者が地上に落下したり、滑り落ちたりするのを防止できる。
【００１８】
一対の側部枠と、これらの側部枠間に結合した底パネルと荷重受けパネルと、牽引部材又は止め具から構成されているだけであるから、構造が簡単で、傾斜面への搬送を別々に行なえ、傾斜面での組み付け、撤去作業が簡単で、その結果、傾斜面工事のコストダウンも図れる。
【発明を実施するための最良の形態】
【００１９】
以下、本発明の実施の形態を図に基づいて説明するが、本発明の墜落防護装置は、住宅、タンク、ドーム等の傾斜した屋根面の新築、改築、補修工事の際に使用し、あるいは丘陵の傾斜した法面の土木工事の際に使用し、傾斜面の上方から資材,工具が落下するのを防止し、又作業者が滑って墜落すのを防止するものである。
【００２０】
使用の態様としては、例えば、図４に示すように、牽引部材４を介して屋根面の上部に固定して設けた頑丈な支持部材１５に連結して配置したり、一対の側部枠１，１の上部を直接釘、ロックピンそのたの止め具で固定して設置したり、屋根面の下方に配置して建物Ａの外側に配設している枠組み足場１６の建枠１７に結合しても良い。
【００２１】
図１および図２は、本発明の一実施の形態に係わる傾斜面工事用墜落防護装置を示すが、この墜落防護装置は、相対向する一対の側部枠１，１と、各側部枠１，１の底部間に着脱自在に結合した底パネル２と、同じく各側部枠１，２の背部間に着脱自在に結合した弾性な荷重受けパネル３と、各側部枠１，１の先端に結合した牽引部材４とから構成されている。
【００２２】
この墜落防護装置は、住宅Ａの屋根面に牽引部材４を介して任意の位置に固定し、傾斜面の上方から墜落する作業者又は落下する部材を受け止める用にしている。
【００２３】
側部枠１は、図１（Ａ）に示すように、底部パイプ枠６と、底部パイプ６から起立する背部パイプ枠７と、底部パイプ枠６の端部と背部パイプ枠７の端部間に架設した上部パイプ枠５とで側面三角形状に形成され、更に底部パイプ枠６の後端と背部パイプ枠７の背部との間に結合した側面Ｖ字状の補強枠８と備えている。
【００２４】
底パネル２及び荷重受けパネル３は、それぞれ矩形のパイプ枠９と、パイプ枠９内に展設した金網１０、弾性シート、スプリング又はその他の弾性部材と、パイプ枠９の外周に張出した支持片１１とで構成され、それぞれ上記支持片１１を底部パイプ枠６と背部パイプ枠７に設けたグラビティロックピン１２に着脱自在に結合している。
【００２５】
金網１０は、外周にビニール、ゴム等の弾性材を被覆するのが好ましい。
【００２６】
底部パイプ枠６の先端側に牽引部材としてのロープ又はワイヤを結合する引っ掛けリング１４を設け、背部パイプ枠７の上部に枠組み足場の建枠１６等の足場枠に連結するクランプ１３を回転自在に結合している。
【００２７】
クランプ１３は、公知のものが使用されており、回転自在なパイプ抱持部１３Ａが取付部１３Ｂを介して背部パイプ枠７に結合され、図５に示すように、枠組み足場１６等の足場側の縦材２４又は横材２５にパイプ抱持部１３Ａを取付けるようになっている。
【００２８】
図５に示すように、横材２５に結合する場合はクランプ１３を図１（Ｃ）のように横向きにしておき、建材２４に結合する場合は９０度回転して縦向きにしておくものである。
【００２９】
図４に示すように、墜落防護装置が屋根面の下方で枠組み足場に固定した場合には、一部屋根面の下端より下方に張出す場合があり、この場合は底パネル２が屋根下方の隙間を塞ぎ、この隙間から部材が落下するのを防止する。
【００３０】
牽引部材４は、上記のように支持部材１５に結合しているが、図４に示すように、他側の屋根端部に引っ掛けて固定したストッパ１８に結合しても良く、支持部材１５は、このストッパ１８に結合しておいても良い。
【００３１】
図３は、本発明の他の実施形態に係わり、これは、荷重受けパネル３を二枚重ねて固定して使用したり、二枚をスライド自在に重ねて使用したりする場合に適用するものであり、この場合は、別に取付部材１９を設けて使用する。
【００３２】
即ち、背部パネル枠７に取付部材１９を備えておき、重ねた二枚の荷重受けパネル３のパイプ枠９，９をこの取付部材１９で挟持するようにしている。
【００３３】
この取付部材１９は、フック２１を備えた筒ブラケット２０と、このブラケット２０内にスライド自在に挿入したフック２２Ａ付きのねじロッド２２と、ロッド２２にねじ結合してロッド２２を締付ける蝶ナット２３とからなり、パイプ枠９，９をフック２１，２２Ａで挟持するようにしている。
【図面の簡単な説明】
【００３４】
【図１】（Ａ）本発明の一実施の形態に係わる傾斜面工事用墜落防護装置の側面図である。
【００３５】
（Ｂ）クランプの平面図である。
【００３６】
（Ｃ）クランプ部分の拡大側面図である。
【図２】（Ａ）底パネルの平面図である。
【００３７】
（Ｂ）荷重受けパネルの正面図である。
【００３８】
（Ｃ）底パネルのコーナ部拡大平面図である。
【００３９】
（Ｄ）底パネルのコーナ部拡大平面図である。
【図３】（Ａ）取付部材の拡大側面図である。
【００４０】
（Ｂ）同背面図である。
【図４】傾斜面工事用墜落防護装置を屋根面に配置した斜視図である。
【図５】屋根面に配置した傾斜面工事墜落防護装置を足場にクランプを介して結合した状態の斜視図である。
【符号の説明】
【００４１】
１  側部枠
２  底パネル
３  パネル
４  牽引部材
５  上部パイプ枠
６  底部パイプ枠
７  背部パイプ枠
８  補強枠
９  パイプ枠
１０  金網
１１  支持片
１２  グラビティロックピン
１３  クランプ
１４  引っ掛けリング
【図１】
2008019604.tif 000003
【図２】
2008019604.tif 000004
【図３】
2008019604.tif 000005
【図４】
2008019604.tif 000006
【図５】
2008019604.tif 000007